(57)【要約】【課題】アスペクト比等の変更されていない画像データを出力でき、かつ、アスペクト比等の変更された画像データに基づいて撮像制御用のパラメータを設定するための処理を行うことができるようにすることを目的とする。【解決手段】本発明の撮像装置１００は、撮像手段１０２の出力信号に基づく画像データを変形させる変形手段３０２と、変形手段３０２によって変形させられた画像データに基づいて、撮像制御用のパラメータに用いる値を得るための処理を行う処理手段３０３と、撮像手段の出力信号に基づく画像データを、出力先に出力できる第１出力手段と、を備えることを特徴とする。【選択図】図３
2018157479.tif 000002
【特許請求の範囲】
【請求項１】
撮像手段の出力信号に基づく画像データを変形させる変形手段と、
前記変形手段によって変形させられた前記画像データに基づいて、撮像制御用のパラメータに用いる値を得るための処理を行う処理手段と、
前記変形手段によって変形させられていない、前記撮像手段の出力信号に基づく前記画像データを、表示手段、外部機器、及び、記録媒体の少なくともいずれを含む出力先に出力する第１出力手段と、を備えることを特徴とする撮像装置。
【請求項２】
前記処理手段は、前記変形手段によって変形させられた前記画像データに基づいて、評価値を算出する評価値演算、被写体を検出する検出処理、及び、検出された被写体を用いて認識を行う認識処理の少なくともいずれかを行うことを特徴とする請求項１に記載の撮像装置。
【請求項３】
前記変形手段は、前記画像データのアスペクト比を変更するために、前記撮像手段の出力信号に基づく画像データを変形させることを特徴とする請求項１または２に記載の撮像装置。
【請求項４】
前記撮像手段の出力信号に基づく画像データは、アナモルフィックレンズを用いて撮像された画像データであることを特徴とする請求項３に記載の撮像装置。
【請求項５】
前記変形手段によって変形させられた前記画像データを、前記表示手段に出力する第２出力手段を更に備えることを特徴とする請求項１乃至４のいずれか１項に記載の撮像装置。
【請求項６】
前記変形手段によって変形させられた前記画像データを前記出力先に出力するか否かを設定する設定手段を有し、
前記第１出力手段は、前記設定手段による設定に基づいて、前記変形手段によって変形させられていない、前記撮像手段の出力信号に基づく前記画像データ、及び、前記変形手段によって変形させられた前記画像データのいずれかを前記出力先に出力することを特徴とする請求項１乃至４のいずれか１項に記載の撮像装置。
【請求項７】
前記表示手段に、前記変形手段によって変形させられた前記画像データを出力するか否かを設定するための第１設定画面を表示する制御を行う第１制御手段を更に備え、
前記設定手段は、前記第１設定画面での指定に基づいて、前記出力先に対して、前記変形手段によって変形させられた前記画像データを出力するか否かを設定することを特徴とする請求項６に記載の撮像装置。
【請求項８】
前記表示手段に、前記変形手段によって行われる前記画像データの変形の量の設定をするための第２設定画面を表示する制御を行う第２制御手段を更に備える請求項７に記載の撮像装置。
【請求項９】
前記第１出力手段は、前記表示手段に前記第２設定画面が表示されている場合、前記表示手段に、前記変形手段によって変形させられた前記画像データを出力することを特徴とする請求項８に記載の撮像装置。
【請求項１０】
前記変形手段は、前記表示手段に前記第２設定画面が表示されている場合、前記撮像手段の出力信号に基づく前記画像データを、前記第２設定画面での指定に対応するように変形させることを特徴とする請求項９に記載の撮像装置。
【請求項１１】
前記設定手段は、前記第２設定画面で前記画像データを変形しないことを表す量が指定されたとき、前記出力先に対して、前記変形手段によって変形させられた前記画像データを出力しない設定を行うことを特徴とする請求項８乃至１０のいずれか１項に記載の撮像装置。
【請求項１２】
撮像手段の出力信号に基づく画像データを変形させる変形ステップと、
前記変形ステップによって変形させられた前記画像データに基づいて、撮像制御用のパラメータに用いる値を得るための処理を行う処理ステップと、
前記変形ステップにおいて変形させられていない、前記撮像手段の出力信号に基づく前記画像データを、表示手段、外部機器、及び、記録媒体の少なくともいずれを含む出力先に出力する第１出力ステップと、を備えることを特徴とする撮像装置の制御方法。
【請求項１３】
コンピュータを、請求項１乃至１１のいずれか１項に記載された撮像装置の各手段として機能させるためのプログラム。
【発明の詳細な説明】
【技術分野】
【０００１】
本発明は、撮像装置、撮像装置の制御方法、及び、プログラムに関する。
【背景技術】
【０００２】
従来から、被写体を左右に圧縮可能なアナモルフィックレンズ（Ａｎａｍｏｒｐｈｉｃ  Ｌｅｎｓ）を用いて映像を撮影し、その映像を再生する際に元のサイズになるように左右に拡大することで、ワイドスクリーン映像とする技術が用いられている。特に映画業界において、「シネマスコープサイズ」と呼ばれる２．４：１のアスペクト比に変換可能なレンズが広く用いられている。
【０００３】
なお、アナモルフィックレンズで撮影された画像の処理に関する技術として、特許文献１では、左右に圧縮された画像を復元した上でファインダに表示することで、撮影時の被写体を正確に認識可能とするファインダ装置が開示されている。
また、人物の身長方向に視野を拡大する光学レンズで撮影された画像の処理に関する技術として、特許文献２では、顔認識処理の前に画像の歪みを補正する技術が開示されている。
【先行技術文献】
【特許文献】
【０００４】
【特許文献１】特開平６−１５３０２９号公報
【特許文献２】特開２００１−２６６１５２号公報
【発明の概要】
【発明が解決しようとする課題】
【０００５】
しかしながら、アナモルフィックレンズは被写体を圧縮して撮影する。したがって、アナモルフィックレンズで撮影された画像のままでは、ファインダで被写体を正確に認識することが困難である。また、撮像制御用のパラメータを設定するために行われる顔認識等の認識系処理や、被写体の検出系処理や、露出やホワイトバランスの評価系処理といった処理を正確に行うことが困難である。なお、特許文献１の技術では、ファインダに表示する画像は、左右に圧縮された画像が復元されたものであるが、その他処理には、左右に圧縮された画像が使われる。したがって、認識系処理や検出系処理や評価系処理といった処理を正確に行うことが困難である。
【０００６】
また、アナモルフィックレンズで撮影された画像を撮像装置内で正規のアスペクト比に戻した後に画像の記録を行う場合、撮像装置のアスペクト変換の性能がユーザの所望のレベルに達しない可能性がある。特に、画質の劣化や、レンズのばらつきによる拡大率の誤差からくるアスペクト比のずれといった問題の発生が懸念される。この点について特許文献２の技術でも同様の問題が懸念される。
【０００７】
本発明は、アスペクト比等の変更されていない画像データを出力でき、かつ、アスペクト比等の変更された画像データに基づいて撮像制御用のパラメータを設定するための処理を行うことができるようにすることを目的とする。
【課題を解決するための手段】
【０００８】
本発明の撮像装置は、撮像手段の出力信号に基づく画像データを変形させる変形手段と、前記変形手段によって変形させられた前記画像データに基づいて、撮像制御用のパラメータに用いる値を得るための処理を行う処理手段と、前記変形手段によって変形させられていない、前記撮像手段の出力信号に基づく前記画像データを、表示手段、外部機器、及び、記録媒体の少なくともいずれを含む出力先に出力する第１出力手段と、を備えることを特徴とする。
【発明の効果】
【０００９】
本発明によれば、アスペクト比等の変更されていない画像データを出力でき、かつ、アスペクト比等の変更された画像データに基づいて撮像制御用のパラメータを設定するための処理を行うことができる。
【図面の簡単な説明】
【００１０】
【図１】デジタルビデオカメラの外観図である。
【図２】デジタルビデオカメラのブロック図である。
【図３】第１実施形態の画像処理を説明するブロック図である。
【図４】第２実施形態の画像処理を説明するブロック図である。
【図５】第２実施形態の設定処理のフローチャートである。
【図６】第２実施形態の設定画面の例を示す図である。
【図７】第２実施形態の設定時画像処理のフローチャートである。
【発明を実施するための形態】
【００１１】
＜第１実施形態＞
まず、図１を参照して、第１実施形態のデジタルビデオカメラ１００について説明する。図１（ａ）から図１（ｃ）までは、異なる方向からデジタルビデオカメラ１００を見たときのデジタルビデオカメラ１００の外観図である。
デジタルビデオカメラ１００は、撮像装置の例であり、レンズ交換式デジタルビデオカメラである。なお、本発明は、デジタルビデオカメラ１００に限定されるものではなく、一眼レフカメラや、レンズ一体型コンパクトカメラや、カメラ機能つき携帯電話等であってもよい。
【００１２】
モニタ１５２、及び、ファインダ１５３は、図２に示す表示部１０７に含まれ、画像データや各種情報を表示する。モニタ１５２は、例えば、ＬＣＤ（液晶モニタ）である。ファインダ１５３は、例えば、ＥＶＦ（電子ビューファインダ）である。
操作部１８０は、ユーザが各種の操作を行うための部材であり、トリガーボタン１６１、電源／モードスイッチ１７２、及び、操作パネル１７０を含む。トリガーボタン１６１は、撮影指示を行うため操作ボタンである。トリガーボタン１６１には、第１トリガーボタン１６１ａと第２トリガーボタン１６１ｂと第３トリガーボタン１６１ｃとがある。電源／モードスイッチ１７２は、電源オン、電源オフや撮影モード、再生モードを切り替えるための操作ボタンである。操作パネル１７０は、ユーザからの各種操作を受け付ける各種スイッチ、ボタン等の操作部材からなる。
コネクタ１５４は、デジタルビデオカメラ１００から外部モニタや外部記録装置等の外部機器に映像信号を出力するコネクタであり、外部出力部１２１を構成する。バッテリーカバー１５０は、デジタルビデオカメラ１００に装填したバッテリーを保持するカバーである。アクセスランプ１５１は、記録用のカードスロットの状態を表示するランプであり表示部１０７に含まれる。
【００１３】
次に、図２を参照して、デジタルビデオカメラ１００の構成について説明する。図２は、デジタルビデオカメラ１００のブロック図である。
交換レンズ１０１は、複数のレンズ群からなる撮影レンズであり、フォーカスレンズ、ズームレンズ、シフトレンズを内部に備えるほか、絞りを含む。交換レンズ１０１は、デジタルビデオカメラ１００に取り付けたり、デジタルビデオカメラ１００から取り外したりできる。交換レンズ１０１は、アナモルフィックレンズを備えていてもよい。
ＮＤフィルタ１０３は、撮像素子１０２に取り込む光量を減少させるフィルタである。ＮＤフィルタ１０３は、レンズに備えられた絞りとは別に入射光量を調整するためにデジタルビデオカメラ１００に設けられている。
【００１４】
撮像素子１０２は、撮像手段の例であり、光電変換素子を有する画素が複数、二次元状に配列されている。撮像素子１０２は、交換レンズ１０１により結像された被写体光学像を各画素で光電変換し、更に、各画素の出力信号をＡ／Ｄ変換回路によってアナログ・デジタル変換して、デジタルデータである画素単位の画像信号（ＲＡＷ画像データ）を出力する。
メモリＩ／Ｆ部１１６は、撮像素子１０２から出力された全画素分のＲＡＷ画像データをメモリ１１７に書き込み、また、メモリ１１７に保持されたＲＡＷ画像データを読み出して画像処理部１１８に出力する。
メモリ１１７は、数フレームの全画素分のＲＡＷ画像データを格納する揮発性の記録媒体である。
【００１５】
画像処理部１１８は、メモリＩ／Ｆ部１１６から送られた全画素分のＲＡＷ画像データに対し、撮像素子１０２に起因するレベル差を補正する画像処理を行う。画像処理部１１８は、例えば、ＯＢ領域（オプティカルブラック領域）の画素を用いて、有効領域の画素のレベルを補正したり、欠陥画素に対して周囲画素を用いた補正したりする。また、画像処理部１１８は、周辺光量落ちに対する補正、色補正、輪郭強調、ノイズ除去、ガンマ補正、ディベイヤー、圧縮等の各処理を行う。また、画像処理部１１８は、画像の拡大縮小処理や、被写体の検出、認識処理、露出やホワイトバランスの評価値演算処理等も行う。
【００１６】
本体制御部１１９は、ＣＰＵ、ＲＯＭ、ＲＡＭ等を備え、ＣＰＵがＲＯＭに格納されたプログラムをＲＡＭの作業領域に展開し、実行することにより、デジタルビデオカメラ１００の全体の動作を制御する。また、本体制御部１１９は、ＲＯＭに記憶されたプログラムを実行することで、後述する本実施形態の各処理を実現する。ＲＡＭには、本体制御部１１９の動作用の定数、変数、ＲＯＭから読み出したプログラム等が展開される。
記録媒体Ｉ／Ｆ部１０４は、記録媒体１０５とデジタルビデオカメラ１００とのインタフェースである。記録媒体Ｉ／Ｆ部１０４は、画像処理部１１８から出力された画像データを記録媒体１０５に記録する制御や、記録媒体１０５に記録された画像データを読み出す制御を行う。
記録媒体１０５は、撮影された映像を含む画像データを記録するための半導体メモリ等で構成される記録媒体であり、記録媒体Ｉ／Ｆ部１０４による制御に応じて画像データの記録や記録された画像データの読み出しを実行する。
【００１７】
表示用Ｉ／Ｆ部１０６は、画像処理部１１８からの画像データ、及び、ＧＰＵ１１５で描画したＶＲＡＭ（Ｖｉｄｅｏ  ＲＡＭ）の画像データに対して、重畳合成、及び、リサイズ処理を行い、表示部１０７へ出力する。表示用Ｉ／Ｆ部１０６が行うリサイズは、例えば、画像データを、表示部１０７の画素数に合わせる処理である。
また、本体制御部１１９によって拡大表示モードが有効にされているときは、表示用Ｉ／Ｆ部１０６は、映像データの部分領域に対して重畳合成、及び、リサイズ処理を行う。その結果、拡大表示モードでは、通常時よりも拡大された映像が表示部１０７に表示されるため、撮影者がＭＦ（マニュアルフォーカス）調整操作をより正確に行いやすくなる。
【００１８】
表示部１０７は、表示用Ｉ／Ｆ部１０６から出力された画像データを画角確認用に表示するモニタ１５２やファインダ１５３である。
測距部１０８は、例えば、位相差ＡＦにより被写体の距離を測距する。
ＧＰＵ１１５は、デジタルビデオカメラ１００の各種情報表示やメニュー画面の画像データを生成してＶＲＡＭに出力するレンダリングエンジンである。ＧＰＵ１１５は、文字列や図形の描画機能のほか、拡大縮小描画機能や、回転描画機能、レイヤ合成機能を備えている。ＧＰＵ１１５が生成したＶＲＡＭの画像データは透過度を表すアルファチャネルを備えており、表示用Ｉ／Ｆ部１０６によって映像上にオンスクリーン表示できる。
【００１９】
次に説明するゲイン制御部１０９、シャッタ制御部１１０、ＮＤ制御部１１１、及び、絞り制御部１１２は、いずれも露出制御のための処理を行う。画像処理部１１８の出力した画像データの輝度レベルを本体制御部１１９で算出した結果に基づいて、又は、ユーザがマニュアル設定した動作パラメータに基づいて、本体制御部１１９は、これらの制御部を制御する。
ゲイン制御部１０９は、撮像素子１０２のゲインを制御する。
シャッタ制御部１１０は、撮像素子１０２のシャッタスピードを制御する。
ＮＤ制御部１１１は、ＮＤフィルタ１０３を介して撮像素子１０２に入射する光量を制御する。
絞り制御部１１２は、交換レンズ１０１の絞りを制御する。
【００２０】
フォーカス制御部１１３は、本体制御部１１９で保持されるフォーカス駆動状態がＡＦ（オートフォーカス）かＭＦ（マニュアルフォーカス）かによって異なる動作を行う。
ＭＦのとき、フォーカス制御部１１３は、制御を停止する。この場合、撮影者であるユーザが交換レンズ１０１に組み込まれたフォーカスリング１３４を回転させることによって、任意のフォーカス調整を行うことができる。
ＡＦのとき、画像処理部１１８から出力された画像データを参照して本体制御部１１９がフォーカスの合焦情報を算出し、算出結果をもとにフォーカス制御部１１３が交換レンズ１０１内部のフォーカスレンズを制御する。本体制御部１１９で画像データの部分領域にＡＦ枠を設定し、ＡＦ枠内の被写体のみに基づいて、本体制御部１１９がフォーカス合焦情報を算出することもできる。
【００２１】
ＡＦは、更に２つの動作モードを備えている。ひとつはワンショットＡＦモードであり、ワンショットＡＦキー１２９が押下されたときだけＡＦ制御を行い、合焦成功、又は、合焦失敗が確定した後はフォーカス制御部１１３の制御を停止するモードである。もうひとつはサーボＡＦモード、又は、コンティニュアスＡＦモードと呼ばれる、常にＡＦ制御を行うモードである。ただし、コンティニュアスＡＦモードであっても、ＡＦロックキー１３０の押下によってＡＦロック状態になっているときは、フォーカス制御部１１３の制御を停止する。２つのモードの切り替えはメニュー画面内の設定変更によって行う。
【００２２】
像ブレ補正制御部１１４は、本体制御部１１９が算出した動きベクトルをもとに像ブレを相殺するように交換レンズ１０１内部のシフトレンズを制御する光学式防振処理を行う。又は、像ブレ補正制御部１１４は、像ブレを相殺する方向に動画の各フレームで画像データを切り出す電子式防振処理を行う。本体制御部１１９は、画像処理部１１８から出力された画像データを参照して本体制御部１１９で被写体の動きベクトルを算出する。
【００２３】
外部出力用Ｉ／Ｆ部１２０は、画像処理部１１８からの映像データにリサイズ処理を行う。また、外部出力部１２１の規格に適した信号変換、及び、制御信号の付与を行い、外部出力部１２１へ画像データを出力する。
外部出力部１２１は、外部機器に画像データを出力する端子であり、例えばＳＤＩ端子やＨＤＭＩ（登録商標）端子である。外部出力部１２１には、モニターディスプレイや外部記録装置が接続可能である。
【００２４】
外部操作用Ｉ／Ｆ部１２２は、外部操作部１２３による制御指示を受信し、本体制御部１１９へ通知するインタフェースである。外部操作用Ｉ／Ｆ部１２２は、例えば、赤外線リモコン受光部や、無線ＬＡＮインタフェースや、ＬＡＮＣ（登録商標）である。
外部操作部１２３は、外部操作用Ｉ／Ｆ部１２２に対して制御指示を送信する。外部操作部１２３は、デジタルビデオカメラ１００や交換レンズ１０１に組み込まれた操作部１８０の各部の操作に相当する指示を送信できる。更に、外部操作部１２３は、表示部１０７で表示するメニュー画面における設定変更情報を送信できる。
【００２５】
操作部１８０は、ユーザの操作を受けつけ、本体制御部１１９に対して制御指示を通知する。操作部１８０は、キー（ボタン）やダイヤル、タクトスイッチ、リング等の部材からなる。第１実施形態では、操作部１８０のフォーカスリング１３４、及び、ＡＦ／ＭＦスイッチ１３５は、交換レンズ１０１に設けられており、その他の操作部１８０は、デジタルビデオカメラ１００に設けられている。操作部１８０の一部は、メニュー画面内の設定によって、キーの役割を交換したり、別の機能にアサインしたりできる。
【００２６】
メニューキー１２４は、表示部１０７にメニュー画面を表示する指示、又は、すでに開いているメニュー画面を閉じる指示を行う。
十字キー１２５、及び、ダイヤル１２６は、どちらもメニュー画面内で項目を選択するためのカーソルを移動したり、フォーカスに関する枠表示をユーザの望む方向へ移動したりする指示を行う。
ＳＥＴキー１２７は、メニュー画面内でカーソルの当たっている項目を選択したり、各種の設定操作を確定したりする指示を行う。
キャンセルキー１２８は、メニュー画面で深い階層の選択を行っているときにひとつ前の階層へ戻ったり、各種の設定操作を破棄したりする指示を行う。
【００２７】
ワンショットＡＦキー１２９は、ＡＦモードがワンショットＡＦであるときに、フォーカス制御部１１３によってＡＦを駆動する指示を行う。
ＡＦロックキー１３０は、ＡＦモードがコンティニュアスＡＦであるときに、フォーカス制御部１１３による制御を停止したり、制御停止状態を解除したりする指示を行う。
拡大キー１３１は、表示部１０７に表示される映像を拡大したり元に戻したりする指示を行う。
【００２８】
ＤＩＳＰＬＡＹキー１３２は、本体制御部１１９で保持されるＤｉｓｐレベルを変更する指示を行う。選択されたＤｉｓｐレベルに基づいて、表示部１０７に表示される各種情報表示が制限され、より詳細な情報を表示したり、映像をよりクリアに表示したりできる。
ＳＴＡＲＴ／ＳＴＯＰキー１３３は、記録媒体Ｉ／Ｆ部１０４による記録の開始と停止の指示を行う。
フォーカスリング１３４は、フォーカス駆動状態がＭＦであるときに、交換レンズ１０１内のフォーカスレンズを移動し、フォーカス調整を行うことができる。
ＡＦ／ＭＦスイッチ１３５は、フォーカス駆動状態、すなわちＡＦとＭＦを相互に切り替える指示を行う。
【００２９】
図２に示すデジタルビデオカメラ１００の各ブロックのうち、ハードウェアを表すブロック以外の機能ブロックは、ＡＳＩＣやプログラマブルロジックアレイ（ＰＬＡ）等のハードウェアによって実現されてもよい。また、機能ブロックは、本体制御部１１９がソフトウェアを実行することによって実現されてもよい。また、機能ブロックは、ソフトウェアとハードウェアの組み合わせによって実現されてもよい。以下の説明において、異なる機能ブロックが動作主体として記載されている場合であっても、同じハードウェアが主体として実現されうる。
図２に示す各ブロックのうち、ハードウェアを表すものには、少なくとも、ＮＤフィルタ１０３、撮像素子１０２、表示部１０７、記録媒体１０５、メモリ１１７、外部出力部１２１、本体制御部１１９、操作部１８０が含まれる。
また、操作部１８０、表示部１０７、及び、外部出力部１２１はデジタルビデオカメラ１００の表面に露出している。
【００３０】
次に、図３を参照して、第１実施形態の画像処理について説明する。図３は、第１実施形態の画像処理を説明するブロック図である。図３に示すように、画像処理部１１８は、画像補正部３０１、拡大縮小処理部３０２、及び、認識／検出／評価系処理部３０３を含む。画像処理部１１８の各部の詳細は次に説明する。
【００３１】
メモリＩ／Ｆ部１１６は、撮像素子１０２から出力された全画素分のＲＡＷ画像データをメモリ１１７に書き込む。また、メモリＩ／Ｆ部１１６は、メモリ１１７に保持されたＲＡＷ画像データを読み出して画像処理部１１８の画像補正部３０１に出力する。
画像補正部３０１は、メモリＩ／Ｆ部１１６から出力された全画素分のＲＡＷ画像データに対し、撮像素子１０２に起因する撮像素子１０２の出力信号のレベル差を補正する画像処理を行う。より具体的には、画像処理部１１８は、例えば、ＯＢ領域の画素を用いて、有効領域の画素のレベルを補正したり、欠陥画素に対して周囲画素を用いた補正したりして、補正された画像データを生成する。画像補正部３０１が補正された画像データを生成する処理は、生成手段による処理例である。
【００３２】
画像補正部３０１は、補正した画像データを、拡大縮小処理部３０２、記録媒体Ｉ／Ｆ部１０４、及び、外部出力用Ｉ／Ｆ部１２０に出力する。画像補正部３０１は、補正した画像データを記録媒体Ｉ／Ｆ部１０４に出力することで、記録媒体Ｉ／Ｆ部１０４を介して、補正した画像データを記録媒体１０５に出力することになる。同様に、画像補正部３０１は、補正した画像データを外部出力用Ｉ／Ｆ部１２０に出力することで、外部出力用Ｉ／Ｆ部１２０を介して、補正した画像データを外部出力部１２１に出力することになる。画像補正部３０１が補正した画像データを記録媒体Ｉ／Ｆ部１０４、及び、外部出力用Ｉ／Ｆ部１２０に出力する処理は第１出力手段による処理例である。
【００３３】
拡大縮小処理部３０２は、画像補正部３０１から出力された画像データに対して、拡大、及び、縮小の少なくとも一方を行って、画像データを変形する。より具体的には、拡大縮小処理部３０２は、画像補正部３０１から出力された画像データのアスペクト比を変更する。拡大縮小処理部３０２は、アスペクト比が変更された画像データを認識／検出／評価系処理部３０３に出力する。拡大縮小処理部３０２が画像データを変形する処理は、変形手段による処理例である。
【００３４】
認識／検出／評価系処理部３０３は、アスペクト比が変更された画像データに基づいて、認識処理、検出処理、及び、評価処理の少なくともいずれかの処理を行う。認識処理、検出処理、及び、評価処理は、処理手段による処理例である。
検出処理には、例えば、画像データから被写体を検出する被写体検出処理、及び、画像データから動いている被写体を検出する動体検出処理が含まれる。被写体検出処理には、顔を検出する顔検出処理、及び、人体を検出する人体検出処理が含まれる。
認識処理は、検出処理の検出結果に基づいて、所定の認識を行う処理である。認識処理には、画像データに基づいて検出された顔を用いて認識を行う顔認識処理が含まれる。
被写体検出処理、動体検出処理、および、顏認識処理は、画像データから最も主たる被写体となる領域を決定するために用いられ、この結果に基づいて、ＡＦ枠の設定や、露出制御の際に重みを大きくする評価用領域の設定を行う。
評価処理は、画像データに基づいて、所定の評価値を算出する処理である。評価値には、露出の評価値、及び、ホワイトバランスの評価値が含まれる。
認識／検出／評価系処理部３０３によって得られたこれらの結果は、デジタルビデオカメラのＡＦ、ＡＥ、ホワイトバランスなどの撮像制御用のパラメータ設定に用いられる。そのため、認識／検出／評価系処理部３０３によるこれらの処理は、動画の撮像に対してリアルタイムに行われる必要がある。
【００３５】
認識／検出／評価系処理部３０３は、画像データを表示用Ｉ／Ｆ部１０６に出力する。認識／検出／評価系処理部３０３は、画像データを表示用Ｉ／Ｆ部１０６に出力することで、表示用Ｉ／Ｆ部１０６を介して、画像データを表示部１０７に出力することになる。画像補正部３０１が画像データを表示用Ｉ／Ｆ部１０６に出力する処理は第２出力手段による処理例である。
【００３６】
表示用Ｉ／Ｆ部１０６は、拡大縮小処理部３０２でアスペクト比が変更された画像データ、及び、ＧＰＵ１１５で作成した画像データを、重畳合成し、更に、リサイズ処理して、表示部１０７に出力する。表示部１０７は、表示用Ｉ／Ｆ部１０６から出力された画像データを画角確認用に表示する。
【００３７】
記録媒体Ｉ／Ｆ部１０４は、画像補正部３０１から出力された画像データを、記録媒体１０５に出力し、記録媒体１０５に記録する。
外部出力用Ｉ／Ｆ部１２０は、画像補正部３０１から出力された画像データを、リサイズ処理して、外部出力部１２１へ出力する。
記録媒体Ｉ／Ｆ部１０４、及び、外部出力用Ｉ／Ｆ部１２０に出力される画像データは、上記の通り、画像補正部３０１から出力される画像データであり、拡大縮小処理部３０２でアスペクト比が変更されていない画像データである。
【００３８】
画像処理部１１８は、画像データが送られる経路として、第１画像信号パスと、第２画像信号パスとを備える。
第１画像信号パスは、画像補正部３０１で補正された画像データがそのまま出力される経路である。第１画像信号パスは、図３の例では、画像補正部３０１と、記録媒体Ｉ／Ｆ部１０４、及び、外部出力用Ｉ／Ｆ部１２０とをつなぐ経路である。
第２画像信号パスは、画像補正部３０１で補正された画像データが、更に、拡大縮小処理部３０２でアスペクト比が変更されて出力される経路である。第２画像信号パスは、図３の例では、画像補正部３０１と、拡大縮小処理部３０２と、認識／検出／評価系処理部３０３と、表示用Ｉ／Ｆ部１０６とをつなぐ経路である。
【００３９】
以上説明したように、アナモルフィックレンズ等で圧縮されて撮影された画像データは、第１画像信号パスによって、記録媒体１０５及び外部出力部１２１に出力される。よって、撮影された画像データは、画像補正部３０１で行われる補正以外の画像処理は施されずに、記録媒体１０５に記録されたり、外部出力部１２１に出力されたりする。したがって、記録媒体１０５に記録されたり、外部出力部１２１に出力されたりする画像データは、画質の劣化は生じず、更に、レンズのばらつきによる拡大率の誤差からくるアスペクトのずれが生じることもない。
【００４０】
また、アナモルフィックレンズ等で圧縮されて撮影された画像データは、第２画像信号パスによって、認識／検出／評価系処理部３０３に送られる。認識／検出／評価系処理部３０３は、拡大縮小処理部３０２でアスペクト比が変更された画像データに基づいて、各種の処理を行う。よって、認識／検出／評価系処理部３０３は、正規のアスペクト比の画像データで認識処理、検出処理、及び、評価処理が可能となるため、認識処理、検出処理、及び、評価処理の精度が向上する。
このように、デジタルビデオカメラ１００は、アスペクト比の変更されていない画像データを出力でき、かつ、アスペクト比の変更された画像データに基づいて所定の処理を行うことができる。
【００４１】
＜第２実施形態＞
次に、第２実施形態のデジタルビデオカメラ１００について説明する。第２実施形態における第１実施形態と同様の点については同符号を付して説明を省略する。
まず、図４を参照して、第２実施形態の画像処理について説明する。図４は、第２実施形態の画像処理を説明するブロック図である。
メモリＩ／Ｆ部１１６、及び、画像補正部３０１が行う処理は、図３を参照して説明した第１実施形態の場合と同様である。ただし、第２実施形態では、画像補正部３０１は、補正した画像データを、拡大縮小処理部３０２に出力する。
【００４２】
拡大縮小処理部３０２は、アスペクト比の変更に関する設定であるアスペクト設定に基づいて処理を行う。アスペクト設定には、アスペクト比設定と、アスペクト有効設定とが含まれる。アスペクト設定の情報は、本体制御部１１９のＲＡＭや記録媒体１０５等に保存されている。
アスペクト比設定は、アスペクト比の変更量を表す設定である。第２実施形態では、アスペクト比設定は、アスペクト比の変更倍率で表される。アスペクト比の変更倍率には、水平方向（Ｈ）の変更倍率、及び、垂直方向（Ｖ）の変更倍率が含まれる。拡大縮小処理部３０２は、アスペクト比設定に従って、画像データのアスペクト比を変更する。
拡大縮小処理部３０２は、アスペクト有効設定に基づいて、入力された画像データのアスペクト比を変更したり、変更しなかったりする。アスペクト有効設定には、内部記録アスペクト設定、表示部アスペクト設定、及び、外部出力アスペクト設定が含まれる。
【００４３】
内部記録アスペクト設定は、記録媒体１０５に、拡大縮小処理部３０２によってアスペクト比が変更された画像データを記録するか否かの設定である。内部記録アスペクト設定が「有効」のとき、拡大縮小処理部３０２は、アスペクト比が変更された画像データを記録媒体Ｉ／Ｆ部１０４に出力する。内部記録アスペクト設定が「無効」のとき、拡大縮小処理部３０２は、アスペクト比が変更されていない画像データを記録媒体Ｉ／Ｆ部１０４に出力する。なお、アスペクト比が変更されていない画像データとは、画像補正部３０１から出力された画像データである。
【００４４】
表示部アスペクト設定は、表示部１０７に、拡大縮小処理部３０２によってアスペクト比が変更された画像データを表示するか否かの設定である。表示部アスペクト設定が「有効」のとき、拡大縮小処理部３０２は、アスペクト比が変更された画像データを表示用Ｉ／Ｆ部１０６に出力する。表示部アスペクト設定が「無効」のとき、拡大縮小処理部３０２は、アスペクト比が変更されていない画像データを表示用Ｉ／Ｆ部１０６に出力する。
【００４５】
外部出力アスペクト設定は、外部出力部１２１に、拡大縮小処理部３０２によってアスペクト比が変更された画像データを表示するか否かの設定である。外部出力アスペクト設定が「有効」のとき、拡大縮小処理部３０２は、アスペクト比が変更された画像データを外部出力用Ｉ／Ｆ部１２０に出力する。外部出力アスペクト設定が「無効」のとき、拡大縮小処理部３０２は、アスペクト比が変更されていない画像データを外部出力用Ｉ／Ｆ部１２０に出力する。
拡大縮小処理部３０２は、内部記録アスペクト設定、表示部アスペクト設定、及び、外部出力アスペクト設定の少なくともいずれかが「有効」のとき、画像補正部３０１から出力された画像データのアスペクト比をアスペクト比設定に従って変更する処理を行う。
【００４６】
次に、図５を参照して、設定処理について説明する。図５は、設定処理のフローチャートである。設定処理は、後に図６を参照して説明する設定画面６０１で指定されたアスペクト有効設定をデジタルビデオカメラ１００に設定して反映させる処理である。図５の設定処理は、設定画面６０１でＳＥＴキー１２７が押下される等、設定画面６０１での指定をデジタルビデオカメラ１００に設定する操作を本体制御部１１９が受け付けたときに実行される。図５の処理は、設定手段による処理例である。
なお、図５の説明において、外部出力部１２１には、第１外部出力部と第２外部出力部とがあるものとする。第１外部出力部は、記録用の画像データを出力するための端子である。第２外部出力部は、ユーザ等が外部モニタ等で確認するための確認用の画像データを出力するための端子である。
【００４７】
ステップＳ５０１において、本体制御部１１９は、図６（ｃ）に示す第１有効設定画面６０１ｃで、アスペクト比の変更を無効にする指定がされたか否かを判定する。第１有効設定画面６０１ｃは、設定画面６０１の一つであり、内部記録アスペクト設定、表示部アスペクト設定、及び、外部出力アスペクト設定の指定が可能な設定画面である。図５の例では、外部出力部１２１には、第１外部出力部と第２外部出力部とがあるため、これに対応して、外部出力アスペクト設定にも、第１外部出力アスペクト設定と第２外部出力アスペクト設定とがある。
本体制御部１１９は、例えば、内部記録アスペクト設定、表示部アスペクト設定、第１外部出力アスペクト設定、及び、第２外部出力アスペクト設定の全てが「無効」に指定されているとき、アスペクト比の変更を無効にする指定がされたと判定する。
本体制御部１１９は、アスペクト比の変更を無効にする指定がされたとき処理をステップＳ５０２に進め、アスペクト比の変更を無効にする指定がされていないとき処理をステップＳ５０３に進める。
【００４８】
ステップＳ５０２において、本体制御部１１９は、内部記録アスペクト設定、表示部アスペクト設定、第１外部出力アスペクト設定、及び、第２外部出力アスペクト設定の全てについて「無効」を表す情報を保存する。これにより、本体制御部１１９は、アスペクト比の変更を行わないように設定する。
ステップＳ５０３において、本体制御部１１９は、図６（ｅ）、（ｆ）に示すアスペクト比設定画面６０１ｅで、等倍が指定されたか否かを判定する。等倍とは、水平方向の変更倍率、及び、垂直方向の変更倍率を共に１倍にする指定のことである。本体制御部１１９は、等倍が指定されたとき処理をステップＳ５０４に進め、等倍が指定されていないとき処理をステップＳ５０５に進める。
【００４９】
ステップＳ５０４において、本体制御部１１９は、内部記録アスペクト設定、表示部アスペクト設定、第１外部出力アスペクト設定、及び、第２外部出力アスペクト設定の全てについて「無効」を表す情報を保存する。これにより、本体制御部１１９は、アスペクト比の変更を行わないように設定する。
ステップＳ５０５において、本体制御部１１９は、拡大縮小処理部３０２が、アスペクト比が変更された画像データを認識／検出／評価系処理部３０３に出力するように設定する。
【００５０】
ステップＳ５０６において、本体制御部１１９は、アスペクト比が変更された画像データを記録媒体１０５に記録する指定がされたか否かを判定する。すなわち、本体制御部１１９は、図６（ｃ）に示す第１有効設定画面６０１ｃで、内部記録アスペクト設定が「有効」と指定されたか否かを判定する。本体制御部１１９は、内部記録アスペクト設定が「有効」と指定されたとき処理をステップＳ５０７に進め、「無効」と指定されたとき処理をステップＳ５０８に進める。
ステップＳ５０７において、本体制御部１１９は、内部記録アスペクト設定について「有効」を表す情報を保存することで、アスペクト比が変更された画像データを記録媒体１０５に記録する設定を行う。
ステップＳ５０８において、本体制御部１１９は、内部記録アスペクト設定について「無効」を表す情報を保存することで、アスペクト比が変更されてない画像データを記録媒体１０５に記録する設定を行う。
【００５１】
ステップＳ５０９において、本体制御部１１９は、アスペクト比が変更された画像データを第１外部出力部に出力する指定がされたか否かを判定する。すなわち、本体制御部１１９は、図６（ｃ）に示す第１有効設定画面６０１ｃで、第１外部出力アスペクト設定が「有効」と指定されたか否かを判定する。本体制御部１１９は、第１外部出力アスペクト設定が「有効」と指定されたとき処理をステップＳ５１０に進め、「無効」と指定されたとき処理をステップＳ５１１に進める。
ステップＳ５１０において、本体制御部１１９は、第１外部出力アスペクト設定について「有効」を表す情報を保存することで、アスペクト比が変更された画像データを第１外部出力部に出力する設定を行う。
ステップＳ５１１において、本体制御部１１９は、第１外部出力アスペクト設定について「無効」を表す情報を保存することで、アスペクト比が変更されてない画像データを第１外部出力部に出力する設定を行う。
【００５２】
ステップＳ５１２において、本体制御部１１９は、アスペクト比が変更された画像データを表示部１０７に表示する指定がされたか否かを判定する。すなわち、本体制御部１１９は、図６（ｃ）に示す第１有効設定画面６０１ｃで、表示部アスペクト設定が「有効」と指定されたか否かを判定する。本体制御部１１９は、表示部アスペクト設定が「有効」と指定されたとき処理をステップＳ５１３に進め、「無効」と指定されたとき処理をステップＳ５１４に進める。
ステップＳ５１３において、本体制御部１１９は、表示部アスペクト設定について「有効」を表す情報を保存することで、アスペクト比が変更された画像データを表示部１０７に表示する設定を行う。
ステップＳ５１４において、本体制御部１１９は、表示部アスペクト設定について「無効」を表す情報を保存することで、アスペクト比が変更されてない画像データを表示部１０７に表示する設定を行う。
【００５３】
ステップＳ５１５において、本体制御部１１９は、アスペクト比が変更された画像データを第２外部出力部に出力する指定がされたか否かを判定する。すなわち、本体制御部１１９は、図６（ｃ）に示す第１有効設定画面６０１ｃで、第２外部出力アスペクト設定が「有効」と指定されたか否かを判定する。本体制御部１１９は、第２外部出力アスペクト設定が「有効」と指定されたとき処理をステップＳ５１６に進め、「無効」と指定されたとき処理をステップＳ５１７に進める。
ステップＳ５１６において、本体制御部１１９は、第２外部出力アスペクト設定について「有効」を表す情報を保存することで、アスペクト比が変更された画像データを第２外部出力部に出力する設定を行う。
ステップＳ５１７において、本体制御部１１９は、第２外部出力アスペクト設定について「無効」を表す情報を保存することで、アスペクト比が変更されてない画像データを第２外部出力部に出力する設定を行う。
【００５４】
次に、図６を参照して、アスペクト設定を行うための設定画面６０１の画面遷移について説明する。図６は、設定画面６０１の例を示す図である。図６の説明では、デジタルビデオカメラ１００に取り付けられている交換レンズ１０１は、被写体を左右に圧縮可能なアナモルフィックレンズを備えるものとする。
【００５５】
まず、本体制御部１１９は、操作部１８０を介してデジタルビデオカメラ１００の設定を行う操作を受け付けると、表示部１０７等を制御して、表示部１０７に、図６（ａ）に示すカメラ設定画面６０１ａを表示する。カメラ設定画面６０１ａは、ユーザがデジタルビデオカメラ１００のどのような設定を行うのかを受け付ける画面である。カメラ設定画面６０１ａには、メニュー部６０２である第１メニュー部６０２ａが表示される。カメラ設定画面６０１ａの第１メニュー部６０２ａは、カメラ設定画面６０１ａでユーザが選択可能な項目を表示する。
本体制御部１１９は、カメラ設定画面６０１ａを表示しているときに、操作部１８０を介してアスペクト設定を行う操作を受け付けると、表示部１０７等を制御して、表示部１０７に、図６（ｂ）に示すアスペクト設定画面６０１ｂを表示する。
【００５６】
図６（ｂ）に示すアスペクト設定画面６０１ｂは、アスペクト有効設定を行うのか、ユーザがアスペクト比設定を行うのかを受け付ける画面である。アスペクト設定画面６０１ｂには、第１メニュー部６０２ａが表示される。アスペクト設定画面６０１ｂの第１メニュー部６０２ａは、アスペクト設定画面６０１ｂでユーザが選択可能な項目を表示する。
本体制御部１１９は、アスペクト設定画面６０１ｂを表示しているときに、操作部１８０を介してアスペクト有効設定を行う操作を受け付けると、表示部１０７等を制御して、表示部１０７に、図６（ｃ）に示す第１有効設定画面６０１ｃを表示する。
本体制御部１１９は、アスペクト設定画面６０１ｂを表示しているときに、操作部１８０を介してアスペクト比設定を行う操作を受け付けると、表示部１０７等を制御して、表示部１０７に、図６（ｅ）、（ｆ）に示すアスペクト比設定画面６０１ｅを表示する。
【００５７】
図６（ｃ）に示す第１有効設定画面６０１ｃは、アスペクト比の変更を有効にするか無効にするかの設定を、どの出力先について行うのかを受け付ける画面である。ユーザは、第１有効設定画面６０１ｃで、内部記録アスペクト設定、表示部アスペクト設定、及び、外部出力アスペクト設定のどの設定を行うのかを選択できる。第１有効設定画面６０１ｃには、第１メニュー部６０２ａが表示される。第１有効設定画面６０１ｃの第１メニュー部６０２ａは、第１有効設定画面６０１ｃでユーザが選択可能な項目を表示する。
本体制御部１１９は、アスペクト設定画面６０１ｂを表示しているときに、操作部１８０を介して、例えば、内部記録アスペクト設定を行う操作を受け付けると、表示部１０７に、図６（ｄ）に示す第２有効設定画面６０１ｄを表示する。
【００５８】
図６（ｄ）に示す第２有効設定画面６０１ｄは、内部記録アスペクト設定の「有効」、「無効」を指定する画面である。第２有効設定画面６０１ｄには、第１メニュー部６０２ａが表示される。第２有効設定画面６０１ｄの第１メニュー部６０２ａは、第２有効設定画面６０１ｄでユーザが指定可能な項目を表示する。
本体制御部１１９は、第２有効設定画面６０１ｄを表示しているときに、操作部１８０を介して「有効」又は「無効」の指定を受け付ける。その後、本体制御部１１９は、図６（ｃ）に示す第１有効設定画面６０１ｃを表示する制御を行う。
なお、表示部アスペクト設定、及び、第１、第２外部出力アスペクト設定についても、内部記録アスペクト設定についての第２有効設定画面６０１ｄと同様に、「有効」、「無効」を指定する第２有効設定画面６０１ｄがある。
第１有効設定画面６０１ｃ、及び、第２有効設定画面６０１ｄは、第１設定画面の例である。本体制御部１１９が、第１有効設定画面６０１ｃ、及び、第２有効設定画面６０１ｄを表示部１０７に表示する制御は、第１制御手段による処理例である。
【００５９】
図６（ｅ）、（ｆ）に示すアスペクト比設定画面６０１ｅは、アスペクト比の変更量を指定するための画面である。アスペクト比設定画面６０１ｅの背景には、デジタルビデオカメラ１００が撮影している画像データが表示される。アスペクト比設定画面６０１ｅが表示されているときは、表示部アスペクト設定が「無効」に設定されている場合であっても、表示部１０７は、拡大縮小処理部３０２でアスペクト比が変更された画像データを表示する。
アスペクト比設定画面６０１ｅには、メニュー部６０２である第２メニュー部６０２ｂが表示される。第２メニュー部６０２ｂには、ユーザによって設定可能な項目が表示される。より具体的には、第２メニュー部６０２ｂは、アスペクト比の変更倍率として、水平方向の変更倍率、及び、垂直方向の変更倍率を表示する。本体制御部１１９は、操作部１８０を介して、ユーザによって指定されたアスペクト比の変更倍率を受け付けて、受け付けたアスペクト比の変更倍率を第２メニュー部６０２ｂに表示する。
第２メニュー部６０２ｂの垂直方向の長さは、第１メニュー部６０２ａの垂直方向の長さより小さい。また、第２メニュー部６０２ｂの面積は、第１メニュー部６０２ａの面積より小さい。すなわち、第２メニュー部６０２ｂのサイズは、第１メニュー部６０２ａのサイズより小さい。
【００６０】
デジタルビデオカメラ１００には被写体を左右（水平方向）に圧縮するレンズが取り付けられている。よって、撮像素子１０２の水平方向の端部には光が入らない。したがって、アスペクト比の水平方向の変更倍率、及び、垂直方向の変更倍率が共に１．００倍の場合、図６（ｅ）に示すように、アスペクト比設定画面６０１ｅの背景となる画像データの水平方向の端部が黒く塗りつぶされている。
また、デジタルビデオカメラ１００には被写体を左右（水平方向）に圧縮するレンズが取り付けられている。したがって、図６（ｅ）に示すように、アスペクト比設定画面６０１ｅの背景となる画像データは縦長になっている。
【００６１】
図６（ｅ）に示すアスペクト比設定画面６０１ｅで、ユーザが、アスペクト比の水平方向の変更倍率に１．３３を指定し、垂直方向の変更倍率に１．００を指定したとする。このとき、表示部１０７は、図６（ｆ）に示すように背景に黒く塗りつぶされている部分がないアスペクト比設定画面６０１ｅを表示する。デジタルビデオカメラ１００には、１．３３倍のアナモルフィックレンズが取り付けられているものとする。
なお、アスペクト比設定画面６０１ｅでは、アスペクト比の変更倍率の代わりに、アスペクト比の変更後の画素数を指定できるようにしてもよい。アスペクト比設定画面６０１ｅは、第２設定画面の例である。本体制御部１１９が、アスペクト比設定画面６０１ｅを表示部１０７に表示する制御は、第２制御手段による処理例である。
【００６２】
次に、図７を参照して、設定時画像処理について説明する。図７は、設定時画像処理のフローチャートである。設定時画像処理は、図６（ｅ）、（ｆ）に示すアスペクト比設定画面６０１ｅの背景となる画像データ、及び、第２メニュー部６０２ｂを表示する処理である。設定時画像処理は、ユーザが、図６（ｂ）に示すアスペクト設定画面６０１ｂでアスペクト比設定を行う操作を行ったときに開始する。
【００６３】
ステップＳ７０１において、ＧＰＵ１１５は、本体制御部１１９の制御に基づいて、アスペクト比設定画面６０１ｅの第２メニュー部６０２ｂの画像データを生成する。アスペクト比設定画面６０１ｅの第２メニュー部６０２ｂは、上記の通り、第１メニュー部６０２ａよりサイズが小さい。
ステップＳ７０２において、本体制御部１１９は、アスペクト比が変更された画像データを表示部１０７に出力するように設定されているか否かを判定する。すなわち、本体制御部１１９は、表示部アスペクト設定が「有効」であるか否かを判定する。本体制御部１１９は、表示部アスペクト設定が「有効」のとき処理をステップＳ７０４に進め、「有効」ではなく「無効」のとき処理をステップＳ７０３に進める。
【００６４】
ステップＳ７０３において、本体制御部１１９は、一時的に、アスペクト比が変更された画像データを表示部１０７に表示するように設定する。すなわち、本体制御部１１９は、表示部アスペクト設定を「有効」に設定する。
ステップＳ７０４において、拡大縮小処理部３０２は、表示部アスペクト設定が「有効」であるため、アスペクト比設定画面６０１ｅで入力された拡大倍率でアスペクト比が変更された画像データを生成し、表示用Ｉ／Ｆ部１０６に出力する。表示用Ｉ／Ｆ部１０６は、アスペクト比が変更された画像データと第２メニュー部６０２ｂの画像データとを重畳したアスペクト比設定画面６０１ｅの画像データを表示部１０７に出力する。表示部１０７は、アスペクト比設定画面６０１ｅを表示する。
【００６５】
ステップＳ７０５において、本体制御部１１９は、操作部１８０が受け付けた操作に基づいて、アスペクト比設定画面６０１ｅにおいてアスペクト比を変更する操作が終了したか否かを判定する。本体制御部１１９は、アスペクト比を変更する操作が終了したとき処理をステップＳ７０６に進め、終了していないとき処理をステップＳ７０４に戻す。
【００６６】
ステップＳ７０６において、本体制御部１１９は、ステップＳ７０３で、一時的に、アスペクト比が変更された画像データを表示部１０７に表示するように設定したか否かを判定する。本体制御部１１９は、一時的に設定したとき処理をステップＳ７０７に進め、設定していないとき処理をステップＳ７０８に進める。
ステップＳ７０７において、本体制御部１１９は、アスペクト比が変更されていない画像データを表示部１０７に表示するように設定する。すなわち、本体制御部１１９は、表示部アスペクト設定を「無効」に設定する。
【００６７】
ステップＳ７０８において、本体制御部１１９は、ＧＰＵ１１５は、本体制御部１１９の制御に基づいて、第１メニュー部６０２ａの画像データを生成する。表示用Ｉ／Ｆ部１０６は、第１メニュー部６０２ａの画像データを含む設定画面６０１の画像データを表示部１０７に出力する。表示部１０７は、設定画面６０１を表示する。ステップＳ７０８で表示部１０７が表示する設定画面６０１は、ステップＳ７０５で本体制御部１１９が受け付けた操作に基づく画面であり、例えば、カメラ設定画面６０１ａ、アスペクト設定画面６０１ｂ、又は、第１有効設定画面６０１ｃである。
【００６８】
以上説明したように、第２実施形態では、設定に基づいて、拡大縮小処理部３０２は、記録媒体１０５等に、画像補正部３０１で補正のみが行われた画像データを出力したり、アスペクト比が変更された画像データを出力したりする。したがって、ユーザの好みや、ユーザの作業の目的等に応じて、画像データを各部に出力できる。
また、アスペクト比設定画面６０１ｅを表示するときは、表示部アスペクト設定によらずに、本体制御部１１９は、アスペクト比が変更された画像データを表示部１０７に表示する制御を行う。また、アスペクト比設定画面６０１ｅの第２メニュー部６０２ｂは、他の設定画面６０１の第１メニュー部６０２ａと比べてサイズが小さい。よって、ユーザは、デジタルビデオカメラ１００が撮影する画像データを、アスペクト比設定画面６０１ｅで指定した倍率でアスペクト比が変更された大きさで見ながら、アスペクト比を指定できる。したがって、ユーザの利便性が向上する。
また、第２実施形態では、第１実施形態と同様に、デジタルビデオカメラ１００は、アスペクト比の変更されていない画像データを出力でき、かつ、アスペクト比の変更された画像データに基づいて所定の処理を行うことができる。
【００６９】
＜その他の実施形態＞
本発明は、上記の実施形態の１以上の機能を実現するプログラムを、ネットワーク又は記録媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７０】
また、上記の実施形態の機能を実現するソフトウェアのプログラムを、記録媒体から直接、又は、有線／無線通信を用いてプログラムを実行可能なコンピュータを有するシステム、又は、装置に供給し、そのプログラムを実行する場合も本発明に含む。
したがって、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００７１】
プログラムを供給するための記録媒体としては、例えば、ハードディスク、磁気テープ等の磁気記録媒体、光／光磁気記録媒体、不揮発性の半導体メモリでもよい。
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
また、第１実施形態においても、第２実施形態と同様に、アスペクト比の変更の量を設定可能であってもよい。
【００７２】
以上、本発明を実施形態と共に説明したが、上記実施形態は本発明を実施するに当たっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。また、上記の実施形態の一部又は全部を適宜組み合わせてもよい。
【符号の説明】
【００７３】
１００  デジタルビデオカメラ、１１８  画像処理部、１１９  本体制御部、３０１  画像補正部、３０２  拡大縮小処理部、３０３  認識／検出／評価系処理部
【図１】
2018157479.tif 000003
【図２】
2018157479.tif 000004
【図３】
2018157479.tif 000005
【図４】
2018157479.tif 000006
【図５】
2018157479.tif 000007
【図６】
2018157479.tif 000008
【図７】
2018157479.tif 000009